(57)【特許請求の範囲】
【請求項１】
情報伝送用の情報線及び電力線が接続された複数のゲート装置と、被制御機器を制御するコントロール端末とを備え、
前記各ゲート装置は、所定の被制御機器の制御情報を記憶している記憶手段と、前記コントロール端末が接続されると前記記憶手段に記憶している前記制御情報を前記コントロール端末に転送する手段とを備え、
前記コントロール端末は転送された前記制御情報により対応する被制御機器を制御することを特徴とする配線システム。
【請求項２】
前記コントロール端末は表示部を備え、前記制御情報が転送される度に制御情報を前記表示部で更新表示することを特徴とする請求項１記載の配線システム。
【請求項３】
前記コントロール端末が接続されたときに前記コントロール端末へ給電する給電手段を前記ゲート装置に備えていることを特徴とする請求項１又は２記載の配線システム。
【請求項４】
前記ゲート装置に非接触給電を行う給電手段を備え、前記コントロール端末に前記給電手段から非接触で受電する受電手段を備えていることを特徴とする請求項３記載の配線システム。
【請求項５】
情報伝送用の情報線及び電力線が接続されたゲート装置とともに配線システムを構成する可搬型のコントロール端末であって、前記ゲート装置に対して離脱自在に接続して通信路を確立する通信手段と、該通信手段を介して前記ゲート装置から転送された制御情報を記憶する記憶手段とを備え、該記憶手段により記憶された制御情報に基づいて被制御機器を制御することを特徴とするコントロール端末。
【発明の詳細な説明】
【技術分野】
【０００１】
本発明は、配線システム及びそれに用いるコントロール端末に関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器ではこの伝送信号を利用して情報の授受を行うとともに、端末回路部の電源を得るシステムがあった（特許文献１）。
【０００３】
そしてこのシステムでは、埋め込み型の配線器具用に規格されているスイッチボックスとこれに対応する取付枠を用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また取付窓間に設けた導電片を両側の取付窓に設けた操作用端末器のリード片を接触させることで、一方の操作用端末器（スイッチボックス側）から他方の操作用端末器へ信号線を送り配線する構成となっている。
【特許文献１】特許第３１３６００６号公報（段落番号０００４、０００５、００１５、図１、図３７）
【発明の開示】
【発明が解決しようとする課題】
【０００４】
ところで、上述のシステムでは端末器は監視対象からの情報の取り込みか或いは制御情報に基づいた負荷の制御かの機能しかなく、しかもその機能は端末器が予め備えた機能により限定されるという課題があった。また通常のコンセント、スイッチ等の配線は、電力線のみが配線されいるだけであるため、ユーザーが将来的に特定の機能を有するシステム（インターホンシステム、防犯、火災等のシステム）や情報機器（無線通信機器等）を入れようとした場合には、別途情報線をそれぞれのシステムや情報機器毎に配線しなければならず、大変煩雑な配線となり、手間をとるいう課題があった。
【０００５】
そこで、通常の電力線とともに、情報線を先行的に配線しておき、ユーザーの将来的なニーズに対応できるシステム、例えば通常建物内に存在しているゲート装置としてのスイッチ口やコンセント口を使用することによって、ユーザーはいままでの必要な機能を確保しつつ、将来のニーズが発生したときに、好みの特定の機能を有するシステムの構築や情報機器を付加することができる、フレキシブルな配線システムが希求されている。
【０００６】
本発明は、上述の点に鑑みて為されたもので、その目的とするところは、コントロール端末が制御する被制御機器を簡単に変更することができ、多様な被制御機器にコントロール端末を対応させることが可能な配線システム及びそれに用いるコントロール端末を提供することにある。
【課題を解決するための手段】
【０００７】
上述の目的を達成するために、請求項１の配線システムの発明では、情報伝送用の情報線及び電力線が接続された複数のゲート装置と、被制御機器を制御するコントロール端末とを備え、前記ゲート装置は、前記被制御機器の制御情報を記憶する記憶手段と、前記コントロール端末が接続されると前記記憶手段に記憶している前記制御情報を前記コントロール端末に転送する手段とを備え、前記コントロール端末は転送された前記制御情報により対応する被制御機器を制御することを特徴とする。
【０００８】
請求項１の配線システムの発明によれば、ゲート装置に対してコントロール端末を接続するだけで、コントロール端末が被制御機器を制御するのに用いる制御情報を取得することができ、そのためコントロール端末が制御する被制御機器をゲート装置側で記憶されている制御情報によって簡単に変更することができ、結果コントロール端末を多様な被制御機器に対応させることが可能となる。
【０００９】
請求項２の配線システムの発明では、請求項１の発明において、前記コントロール端末は表示部を備え、前記制御情報が転送される度に制御情報を前記表示部で更新表示することを特徴とする。
【００１０】
請求項２の配線システムの発明によれば、ユーザーはコントロール端末の表示部の表示により、例えば異なる部屋におけるゲート装置から取得する制御情報の内容や同じ場所の場所に新しく設置された被制御機器に対応して更新された制御情報の内容を知ることができる。
【００１１】
請求項３の配線システムの発明では、請求項１又は２の発明において、前記コントロール端末が接続されたときに前記コントロール端末へ給電する給電手段を前記ゲート装置に備えていることを特徴とする。
【００１２】
請求項３の配線システムの発明によれば、コントロール端末をゲート装置に接続するだけでコントロール端末の電力確保ができる。
【００１３】
請求項４の配線システムの発明では、請求項３の発明において、前記ゲート装置に非接触給電を行う給電手段を備え、前記コントロール端末に前記給電手段から非接触で受電する受電手段を備えていることを特徴とする。
【００１４】
請求項４の配線システムの発明によれば、コントロール端末への給電が非接触で行われるため接触不良などによるトラブルが生じない。
【００１５】
請求項５のコントロール端末の発明では、情報伝送用の情報線及び電力線が接続されたゲート装置とともに配線システムを構成する可搬型のコントロール端末であって、前記ゲート装置に対して離脱自在に接続して通信路を確立する通信手段と、該通信手段を介して前記ゲート装置から転送された制御情報を記憶する記憶手段とを備え、該記憶手段により記憶された制御情報に基づいて被制御機器を制御することを特徴とする。
【００１６】
請求項５のコントロール端末の発明によれば、ゲート装置に対して通信路を確立することで、ゲート装置から制御情報を取得することが簡単にでき、そのため予め被制御機器の制御情報を持つ必要がなく、結果制御対象とする被制御機器が固定的とならず、多様な被制御機器に対応することができるという効果がある。
【発明の効果】
【００１７】
本発明は、ゲート装置に対してコントロール端末を接続するだけで、コントロール端末が被制御機器を制御するのに用いる制御情報を取得することができ、そのためコントロール端末が制御する被制御機器をゲート装置側で記憶されている制御情報によって簡単に変更することができ、結果コントロール端末を多様な被制御機器に対応させることが可能な配線システムを実現することができる。またこの配線システムを実現するためのコントロール端末を提供することができる。
【発明を実施するための最良の形態】
【００１８】
以下本発明を実施形態により説明する。
（実施形態１）
図１に本発明に係る配線システム全体のシステム構成を示す。この配線システムでは、建物内の適所において複数のスイッチボックスＢを埋込配設してあり、始端のスイッチボックスＢに対しては、屋外より配線盤８内に引き込まれ主幹ブレーカＭＢ及び分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックスＢの間は壁面内に先行配線された電力線Ｌ１と情報線Ｌ２とを送り配線してある。
【００１９】
ここで、スイッチボックスＢは、例えばＪＩＳで規格化された大角形の１個モジュール寸法の埋込型配線器具を３個取り付けることができる１連の取付枠７０（図２参照）に対応して規格化されたもので、配線盤８又は他のスイッチボックスＢから送り配線されてくる電力線Ｌ１及び情報線Ｌ２を上部から導入するとともに、他のスイッチボックスＢへ送り配線するための電力線Ｌ１及び情報線Ｌ２を下部から導出している。尚、スイッチボックスＢには、図１及び図３に示すように室内の天井ＣＬに設けられるものと、壁Ｗに設けられるものと、床ＦＬに設けられるものとがある。
【００２０】
そして、各スイッチボックスＢの内部には、図１、図２に示すコネクタ装置１が取付枠７０を用いて埋込配設されている。取付枠７０は矩形枠状であって、器具取付用の細長の取付窓７１を有しており、左右の枠片７２には取付窓７１の長手方向において器具取付孔７３を３組ずつ備えている。
【００２１】
また取付枠７０の上下の横枠片７４には、スイッチボックスＢに取り付けるための取付ねじ用の長孔７５や、壁を構成する石膏ボードなどに取り付けるための従来周知のはさみ金具（図示せず）が取着される取着孔７６や、前面側に後述のプレート枠８０を取り付けるためのプレートねじ用のねじ孔７７や、石膏ボードなどにタッピングねじにより直接ねじ固定するためのねじ挿通孔７８が少なくとも設けてある。
【００２２】
更に上下の横枠片７４の左右両側部からはＬ字形の引掛片７９、７９が一体に突出しており、左右方向の片側から突出する引掛片７９は横枠片７４の上部から延出して先端が下向きに突出し、反対側から突出する引掛片７９は横枠片７４の下部から延出して先端が上向きに突出している。この取付枠７０をスイッチボックスＢに取り付ける際には、取付枠７０の上下の横枠片７４に設けた長孔７５に挿通する取付ねじ（図示せず）をスイッチボックスＢのねじ孔（図示せず）に締結することで、コネクタ装置１ごとスイッチボックスＢに取り付けられる。
【００２３】
コネクタ装置１の器体１０は、規格化された単位寸法の埋込型配線器具を短幅方向に３個並べた大きさに相当する寸法（３個モジュール寸法）に形成されており、器体１０の左右両側面には取付枠７０の枠片７２に設けた器具取付孔７３に係止離脱自在に係止する係止爪１０ａが２組ずつ形成されている。そして、コネクタ装置１の器体１０は、取付枠７０の取付窓７１から器体１０の前面を露出させた状態で取付枠７０に取り付けられている。
【００２４】
コネクタ装置１では、図４に示すように器体１０の背面に設けた速結端子構造の端子部１１ａ、１１ｂ、１２ａ、１２ｂに電力線Ｌ１、情報線Ｌ２を接続するようになっている。ここで、電力線Ｌ１が接続される端子部１１ａ、１１ｂの内、下側の端子部１１ｂに接続される電力線Ｌ１は他のスイッチボックスＢへの送り配線となる（図１参照）。また、情報線Ｌ２が接続される端子部１２ａ、１２ｂの内、下側の端子部１２ｂに接続される情報線Ｌ２も他のスイッチボックスＢへの送り配線となっている。
【００２５】
一方、器体１０の前面には、端子部１１ａ、１１ｂに電気的に接続された導電部を備えて、端子部１１ａ、１１ｂに接続される電力線Ｌ１を外部の電力路に接続するための電力路接続口１３ａと、端子部１２ａ、１２ｂに接続される情報線Ｌ２と電気的に接続されている導電部を備えて情報線Ｌ２を外部の情報路に接続するための情報路接続口１３ｂとが設けられている。ここに、電力路接続口１３ａ及び情報路接続口１３ｂは、それぞれ、導電部の配列や開口部の形状をシステムとして定形化（規格化）してある。
【００２６】
次にコネクタ装置１に接続される基本機能モジュール２について図１及び図６を参照して説明する。基本機能モジュール２は扁平な直方体状のモジュール本体２０を備えており、モジュール本体２０の背面側には、電力路接続口１３ａ及び情報路接続口１３ｂにそれぞれ対応した形態に規格化されたコネクタ２１ａ、２１ｂが形成されており、これらのコネクタ２１ａ、２１ｂをコネクタ装置１の各接続口１３ａ、１３ｂに接続することにより、コネクタ装置１の器体１０前面側にモジュール本体２０を重ねた状態で取着される。
【００２７】
モジュール本体２０の内部には図５に示すような構成の回路が内蔵されている。この基本機能モジュール２は、後述する機能モジュール３及びコントロール端末４を連設して使用するために以下の構成を備えている。
【００２８】
すなわち基本機能モジュール２は、コネクタ２１ａを介して接続される商用電源ＡＣを所定電圧に降圧するとともに、周波数を高周波に変換し、この高周波に変換した低圧交流電源をコア２３ａに巻装したコイル２３ｂに印加するＡＣ／ＡＣコンバータ２２ａと、低圧交流電源を整流平滑後、安定した直流電圧からなる内部回路の動作電源（＋Ｖ）を得る直流電源部２２ｂと、コネクタ２１ｂを介して接続される情報線Ｌ２を通じて情報信号の送受信を行う送受信部２４と、情報線Ｌ２を介して受信される情報信号をＥ／Ｏ変換し、発光素子ＬＥＤを通じて光信号で送出するＥ／Ｏ変換部２５ａと、機能モジュール３（或いは後述するコントロール端末４）から送られてくる光信号からなる情報信号を受光素子ＰＤで受光し、Ｏ／Ｅ変換して送受信部２４に出力するＯ／Ｅ変換部２５ｂと、予め所定の被制御機器を制御するための制御情報を格納している記憶部４００と、接続されるコントロール端末４との間で通信を行って情報信号により上述の制御情報をコントロール端末４へ転送（アップロード）する処理や、制御情報を設定器１００等からダウンロードして記憶部４００に格納する処理を行うマイクロコンピュータ等からなる情報管理部４０１とを備えている。
【００２９】
ここで、上述したコイル２３ｂとコア２３ａとは、基本機能モジュール２から機能モジュール３やコントロール端末４へ電力を非接触で供給するためのトランスの一次側となる電磁結合部を構成するもので、機能モジュール３、コントロール端末４に同様に設けた電磁結合部のコアにコア２３ａが磁気結合し、トランス作用によってコントロール端末４に設けた電磁結合部のコイルに低圧交流電源を誘起させて電源供給を行うようになっている。
【００３０】
尚ＡＣ／ＡＣコンバータ２２ａでは、電力線Ｌ１を通じて供給される商用電源を、商用電源周波数に比べて高周波の低圧交流電源に変換することで、電磁結合部によるトランス構成の小型化を図っている。
【００３１】
また図５ではコア２３ａとコイル２３ｂとからなる電磁結合部が１組しか示されていないが、機能モジュール３やコントロール端末４は基本機能モジュール２の左右何れかの側、或いは、基本機能モジュール２の左右両側に並べて配置されるので、実際には電気的に並列な２組の電磁結合部が設けられ、モジュール本体２０の左右両側において側壁に近接する内部位置に電磁結合部が１組ずつ配置してある。ここに、各電磁結合部のコア２３ａの先端が近接配置されるモジュール本体２０の側面位置が、機能モジュール３やコントロール端末４に対する磁気結合部Ｘとなっている。
【００３２】
一方、Ｅ／Ｏ変換部２５ａの発光素子ＬＥＤは、機能モジュール３やコントロール端末４に対して情報信号を光信号により非接触で伝送するためのもので、連設する機能モジュール３側のＯ／Ｅ変換部（図示せず）に設けた受光素子に対置される。また、Ｏ／Ｅ変換部２５ｂの受光素子ＰＤは連設する機能モジュール３やコントロール端末４から光信号により伝達されてくる情報信号を受光するためのもので、連設する機能モジュール３やコントロール端末４側のＥ／Ｏ変換部（図示せず）に設けた発光素子に対置される。
【００３３】
尚、Ｅ／Ｏ変換部２５ａの発光素子ＬＥＤ及び、Ｏ／Ｅ変換部２５ｂの受光素子ＰＤも図５では１個ずつしか示されていないが、各変換部２５ａ、２５ｂには発光素子ＬＥＤ及び受光素子ＰＤを２組ずつ接続してあり、モジュール本体２０の左右両側において側壁に近接する内部位置に発光素子ＬＥＤ及び受光素子ＰＤの組を１組ずつ配置している。ここで、発光素子ＬＥＤの発光部及び受光素子ＰＤの受光部が対向するモジュール本体２０の側壁部位は光信号が透過可能なように透明部Ｙとしてある。また、モジュール本体２０の両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして、電磁結合部のコア２３ａの先端部の配置位置と、受光素子ＰＤ及び発光素子ＬＥＤの配置位置の上下間隔は定形としている。
【００３４】
基本機能モジュール２は以上のような構成を有しており、スイッチボックスＢに取付枠７０を用いて埋込配設されたコネクタ装置１の各接続口１３ａ、１３ｂに適応するコネクタ２１ａ、２１ｂを結合することで、基本機能モジュール２の電力確保と情報路の確保が同時に行え、且つ、スイッチボックスＢ内への配設が行える。
【００３５】
ここに、コネクタ装置１と基本機能モジュール２とでゲート装置が構成され、基本機能モジュール２の磁気結合部Ｘ及び透明部Ｙから電力路接続口及び情報路接続口がそれぞれ構成される。尚コネクタ装置１の各接続口１３ａ、１３ｂとコネクタ２１ａ、２１ｂの形態を定形化（規格化）しているので、基本機能モジュール２を何れのコネクタ装置１にも接続することができ、そのためレイアウトフリーに基本機能モジュール２を施工でき、また基本機能モジュール２に機能モジュール３やコントロール端末４を連設することによって多様な配線システムを展開することができる。
【００３６】
従って、ユーザーは、好みの利用形態に応じて基本機能モジュール２を自由に施工することができ、将来的に建物内部のレイアウトを変更したり、新しい基本機能モジュール２を追加したい場合にも、基本機能モジュール２のコネクタ装置１へ着脱のみで簡単に対応できるから、基本機能モジュール２の取替性が向上する。
【００３７】
次に、基本機能モジュール２に連設され、基本機能モジュール２から電力供給を受けて動作する機能モジュール３及びコントロール端末４について説明する。
【００３８】
まず機能モジュール３は、夫々独自の機能部２８を備え、例えばディスプレイ装置Ｍを機能部２８に備えた機能モジュール３ａの場合には図７（ａ）、（ｂ）に示すように、モジュール本体３０の高さ寸法を埋込型配線器具の３倍のモジュール寸法に形成するとともに、横幅寸法を１個モジュール寸法の整数倍（２倍）の寸法に形成し、またモジュール本体３０の両側面の形状を基本機能モジュール２の側面と同一形状とし、更に背面を平坦な面に形成して、造営面に沿って配設できるようにしたものである。
【００３９】
また例えばスピーカＳＰ等を含む音源装置を機能部２８として備えた機能モジュール３ｂの場合には図８（ａ）、（ｂ）に示すように、操作スイッチＳＷ１…からなる操作スイッチ部２８ｄを機能部２８に備えた機能モジュール３ｃの場合には図９（ａ）、（ｂ）に示すように、モジュール本体３０の高さ寸法を埋込型配線器具の３倍のモジュール寸法に形成するとともに、横幅寸法を１個モジュール寸法の整数倍（１倍）の寸法に形成し、またモジュール本体３０の両側面の形状は基本機能モジュール２の側面と同一形状とし、更に背面を平坦な面に形成して、造営面に沿って配設できるようにしてある。
【００４０】
同様にその他の機能モジュール３にあってもモジュール本体３０の高さ寸法を埋込型配線器具の３倍のモジュール寸法に形成するとともに、備える機能部に応じて横幅寸法を１個モジュール寸法の整数倍の寸法に形成し、またモジュール本体３０の両側面の形状を基本機能モジュール２の側面と同一形状とし、更に背面を平坦な面に形成して、造営面に沿って配設できるようにしてある。
【００４１】
コントロール端末４の場合にも図１０（ａ）、（ｂ）に示すようにモジュール本体４０の高さ寸法を埋込型配線器具の例えば３倍のモジュール寸法に形成するとともに、横幅寸法を１個モジュール寸法の整数倍（例えば１倍）の寸法に形成し、またモジュール本体４０の両側面の形状は基本機能モジュール２の側面と同一形状とし、更に背面を平坦な面に形成して、造営面に沿って配設できるようにしてある。また設置場所を移動するために持ち運べる可搬型としてある。
【００４２】
そしてモジュール本体３０、４０の上下位置には、取付枠７０の横枠片７４と同様の横枠片３１を一体に形成してあり、上下の横枠片３１の挿通孔３２に通したタッピングねじにより壁を構成する石膏ボードなどにモジュール本体３０、４０を直接ねじ固定することができる。また各横枠片３１には、前面側に横枠片被蔽用の化粧カバー８０を取り付けるためのねじ孔３３が設けてある。また各横枠片３１の左右両側部からはＬ字形の引掛片３４、３４が一体に突出しており、左右方向の片側から突出する引掛片３４は枠片３１の上部から延出して先端が下向きに突出し、反対側から突出する引掛片３４は枠片３１の下部から延出して先端が上向きに突出している。
【００４３】
而して、機能モジュール３或いはコントロール端末４を基本機能モジュール２に連設する場合、基本機能モジュール２が取着された取付枠７０の引掛片７９に機能モジュール３或いはコントロール端末４の引掛片３４と係合することによって、機能モジュール３或いはコントロール端末４のモジュール本体３０、４０が、がたつき無く基本機能モジュール２に連設されるようになっている。
【００４４】
また機能モジュール３に他の機能モジュール３やコントロール端末４を連設する場合や、コントロール端末４に機能モジュール３を連設する場合は一方の引掛片３４を他方の引掛片３４と係合させることで、がたつき無く連設することができるようになっている。  図４ではコネクタ装置１に接続した基本機能モジュール２に機能モジュール３ａを連設した状態を示している。尚連設後、横方向に並ぶ横枠片７４、３１を被蔽するように化粧カバー８０を被せ、また上下の化粧カバー８０の両端端部に上下端を凹凸結合して取り付けるエンドカバー８１で連設モジュール群のエンド部位を被蔽する。尚化粧カバー８０の長さ寸法をモジュール２、３及びコントロール端末４の横幅寸法に対応した寸法に対応させたものを用いて横方向に連結する構造とすることで、連設するモジュール２、３及びコントロール端末４の個数に合わせることができる。
【００４５】
機能モジュール３のモジュール本体３０（及びコントロール端末４のモジュール本体４０）の内部には、図１１に示すようにコア２３ａ及びコイル２３ｂからなる電磁結合部を２組備えて、モジュール本体３０（或いはモジュール本体４０）の左右両側部において側壁に近接する内部位置に配置するとともに、夫々のコイル２３ｂを電気的に接続し、片側の電磁結合部が隣接する基本機能モジュール２又は他の機能モジュール３或いはコントロール端末４の電磁結合部と電磁結合して受電する側（二次側）となると、他方の電磁結合部が給電側（一次側）となるようになっている。これらの電磁結合部を構成するコア２３ａの先端が近接配置されるモジュール本体３０（或いはモジュール本体４０）の側面位置が磁気結合部Ｘとなる。また両電磁結合部のコイル２３ｂ、２３ｂ間を接続する線路には直流電源部２３を接続し、内部回路の動作電源＋Ｖを得るようになっている。
【００４６】
更に情報信号を授受するために、モジュール本体３０（或いはモジュール本体４０）内には連設する基本機能モジュール２又は他の機能モジュール３或いはコントロール端末４から送られてくる光信号からなる情報信号を受光素子ＰＤにて受光し電気的な信号に変換するＯ／Ｅ変換部２５ｂと、電気信号からなる情報信号を隣接する基本機能モジュール２又は他の機能モジュール３或いはコントロール端末４へ光信号からなる情報信号として発光素子ＬＥＤにより送り出すためのＥ／Ｏ変換部２５ａと、Ｏ／Ｅ変換部２５ｂからの電気信号からなる情報信号を受け取るとともに、電気信号からなる情報信号をＥ／Ｏ変換部２５ａへ送り出す情報信号送受信部２５とを二組設け、一方の発光素子ＬＥＤと受光素子ＰＤをモジュール本体３０（或いはモジュール本体４０）の左側側壁近傍の内部に、また他方の発光素子ＬＥＤと受光素子ＰＤをモジュール本体３０の右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置してある。
【００４７】
而して、左側に連設される基本機能モジュール２又は他の機能モジュール３或いはコントロール端末４の右側側壁に近接配置された発光素子ＬＥＤ、受光素子ＰＤに、当該機能モジュール３或いはコントロール端末４の左側に配置した受光素子ＰＤ、発光素子ＬＥＤが夫々対向し、また右側に連設される基本機能モジュール２又は機能モジュール３或いはコントロール端末４の左側側壁に近接配置された発光素子ＬＥＤ、受光素子ＰＤに、当該モジュール２又は３或いはコントロール端末４の右側に配置した受光素子ＰＤ、発光素子ＬＥＤが夫々対向するようになっている。尚発光素子ＬＥＤ、受光素子ＰＤが対向しているモジュール本体３０の側壁は光信号が透過できるように基本機能モジュール２と同様に透明部Ｙとなっている。
【００４８】
そして、両側の情報信号送受信部２５、２５間をモジュール本体３０（或いはモジュール本体４０）内において、双方向の信号ライン２９で接続して、両側に隣接する基本機能モジュール２又はコントロール端末４に対して情報信号を中継できるようになっている。
【００４９】
またモジュール本体３０（或いはモジュール本体４０）内には、信号ライン２９上の情報信号を受信するとともに、信号ライン２９上に情報信号を送出する送受信部２４と、この送受信部２４で受信される情報信号から情報を取り込んで処理を行うとともに、機能モジュール３からコントロール端末４宛（或いはコントロール端末４から機能モジュール３宛）に情報を送る場合の情報生成処理を行う演算処理部２６と、Ｉ／Ｏインターフェース２７を介して演算処理部２６との間で情報の授受を行って動作する機能部２８とを設けてある。
【００５０】
機能モジュール３の機能部２８は特有のハードウェア（以下被制御機器という）と、その被制御機器を所定の機能として動作させるために後述するようにコントロール端末４との間で通信を行うことで情報信号により送られてくる情報に基づいて被制御機器を制御するマイクロコンピュータ部（以下ＣＰＵ部と称する）２８ａとを後述するように備えている。
【００５１】
例えば図１２に示すように被制御機器としてデジタル映像信号対応の液晶表示器からなるディスプレイ装置Ｍを機能部２８に備えている機能モジュール３ａの場合には、ディスプレイ装置（インターフェースを含む）Ｍ以外に、コントロール端末４との間での通信をＩ／Ｏインターフェース２７、演算処理部２６を介して行うための通信機能と、通信によりコントロール端末４から受け取った情報に基づいてディスプレイ装置Ｍを起動する制御機能と、コントロール端末４で仲介されて送られてくるドアホン子機５からの所定形式の撮像情報信号をＩ／Ｏインターフェース２７を介して取り込んで復調した後ディスプレイ装置Ｍに適合したデジタル映像信号に変換生成する映像処理機能とを、ＣＰＵ部２８ａの実行で実現する基本プログラムを記憶部２８ｂに備えている。
【００５２】
同様に図１３に示すように被制御機器としてマイク兼用のスピーカＳＰや、再生音声の増幅用アンプＡＰ１や、入力音声の増幅用アンプＡＰ２等の音響装置を機能部２８に備えた機能モジュール３ｂの場合には、音響装置以外に、コントロール端末４との間の通信をＩ／Ｏインターフェース２７、演算処理部２６を介して行うための通信機能と、通信によりコントロール端末４から受け取った情報に基づいてスピーカＳＰをマイクとして使用する切り替えを切替回路２８ｃで行ったり、コントロール端末４により仲介されて送られてくるドアホン子機５からの圧縮音声情報を復調してＤ／Ａ変換を行う機能と、マイクとしてスピーカＳＰを使用したときの音声信号をＡ／Ｄ変換するとともに、所定の圧縮音声情報に変換して上述の通信機能を介して送信する機能とを、ＣＰＵ部２８ａが実行することで実現する基本プログラムを記憶部２８ｂに備えている。尚ＶＲは再生音量調整用の可変抵抗器である。
【００５３】
また図１４に示すように被制御機器として操作スイッチＳＷ１…及びインターフェース（図示せず）からなる操作スイッチ部２８ｄを機能部２８に備えている機能モジュール３ｃの場合には、ＣＰＵ部２８ａには、コントロール端末４との間の通信をＩ／Ｏインターフェース２７、演算処理部２６を介して行うための通信機能と、通信によりコントロール端末４から受け取った制御情報に基づいて操作スイッチ部２８ｄの各押釦スイッチＳＷ１…の役割設定を行う機能と、押釦スイッチＳＷ１…の操作情報をコントロール端末４や他の機能モジュール３へ上述の通信機能を用いて送る処理機能とを、ＣＰＵ部２８ａが実行することで実現する基本プログラムを記憶部２８ｂに備えている。
【００５４】
また上述の機能モジュール３以外において、同様なモジュール本体３０にセンサ、撮像カメラ等被制御機器を組み込む機能モジュール３もその機能部２８として必要な被制御機器やインターフェースを備えるとともに、ＣＰＵ部２８ａが実行することで、コントロール端末４との間で通信を行うための通信機能と、コントロール端末４からの情報に基づいて被制御機器を動作させる制御機能とを実現する基本プログラムを記憶部２８ｂに備えているものとする。
【００５５】
ここで、本実施形態の配線システムでは、上述のように基本機能モジュール２に連設する機能モジュール３以外に、情報線Ｌ２、電力線Ｌ１に直接接続し、電力線Ｌ１から電源を得るとともに、情報線Ｌ２を通じて情報をコントロール端末４から受け取り、対応する被制御機器を受け取った情報に基づいて動作させる機能モジュール３’が準備されており、例えばドアホン子機５や、生活シーンにあった環境や状況を作り出すために調光付き照明装置２００に対応するもの、電気錠２０１に対応するもの等が設けられている。
【００５６】
これら機能モジュール３’は、図１５（ａ）に示すように情報線Ｌ２を通じて情報信号の送受信を行う通信機能として情報信号送受信部３００と、情報信号送受信部３００から動作情報等を送信する情報生成、情報信号送受信部３００で情報信号として受信した制御情報の取り込みとその内容の判断処理、制御情報の内容に基づいて機能部３０３を制御する制御信号を生成する処理を行う演算処理部３０１と、夫々の被制御機器に対応した機能部３０３と、演算処理部３０１と機能部３０３との間に介在するＩ／Oインターフェース３０２と、電力線Ｌ１から供給を受ける交流電源から動作用の直流電源＋Ｖを得る直流電源部３０５とを備えている。
【００５７】
そして機能部３０３としては、被制御機器が例えば調光機能付き照明装置２００の場合に対応する調光制御部を、また電気錠２０１の場合にはＪＥＭＡ規格の信号発生部をそれぞれ備えている。またドアホン子機５に対応する機能モジュール３’の場合には通話手段や、来訪者を撮像するＴＶカメラの他に音声データの送受や映像データの送受のための信号処理手段などを備えている。
【００５８】
また各機能モジュール３及び機能モジュール３’には夫々を識別する識別情報（後述するＩＰアドレスやＭＡＣアドレス）や夫々が設定され、機能モジュール３、３’をコントロール端末４がアクセスする際に使用する。
【００５９】
コントロール端末４は信号伝送系、電源系の構成は基本的には図１５（ｂ）に示すように機能モジュール３と同じ構成を有するが、被制御機器を制御するのではなく、制御情報処理を主とする機能を備えている。つまりコントロール端末４は、ゲート装置を構成する基本機能モジュール２から後述するように転送されて取得した制御情報に基づいて制御対象となる被制御機器に対応する機能モジュール３、３’との間で確立した通信路を介して制御コマンドからなる情報を送ったり、被制御機器間の情報伝送の仲介処理を行うことで被制御機器を制御する処理を行うＣＰＵ部２８ａと、転送された制御情報を格納するとともに、ＣＰＵ部２８ａの動作用プログラムを格納している記憶部２８ｂと、制御情報が転送される度に更新された制御情報の内容をＣＰＵ部２８ａの制御の下で表示を行う表示部２８ｅとを備え、ＣＰＵ部２８ａはスイッチ部ＳＷ０の設定によって、記憶部２８ｂに格納している制御情報に基づいて被制御機器を制御するための制御処理を行うモードと、基本機能モジュール２から転送される制御情報を記憶部２８ｂに格納させる情報取得処理のモードとその処理動作を切り替えるようになっている。
【００６０】
次に本実施形態の配線システムにおけるコントロール端末４及びゲート装置を構成する基本機能モジュール２の運用について詳説する。
【００６１】
まず所定のスイッチボックスＢに配設されたコネクタ装置１に接続することでコネクタ装置１とともにゲート装置を構成する基本機能モジュール２に対して、１乃至複数の機能モジュール３を連設して一つの役割（例えばインターホンの親機）を持つ機能ユニットを構成したり、所定の被制御機器とこれに対応する機能モジュール３’を所定の場所において電力線Ｌ１、情報線Ｌ２に接続することでユーザーが所望する配線システムが構築される。
【００６２】
このようにして構築された配線システムの被制御機器や各機能ユニットでの被制御機器の制御内容や各機能モジュール３、３’の識別情報等を含む制御情報を設定器１００を用いてユーザー乃至施工業者が作成する。
【００６３】
設定器１００としては、例えばパーソナルコンピュータ等を用い、その通信部にＥ／Ｏ変換、Ｏ／Ｅ変換のアダプタ１０１を接続し、このアダプタ１０１を基本機能モジュール２の側面の透明部Ｘに接合させることで、基本機能モジュール２内のＥ／Ｏ変換部２５ａ、Ｏ／Ｅ変換部２５ｂとの間で光信号の通信ができるようになっており、設定器１００で作成した制御情報を基本機能モジュール２との間で通信を行いながら基本機能モジュール２側に転送する。基本機能モジュール２では情報管理部４０１の管理の下で記憶部４００に格納する。
【００６４】
ここで、構築された配線システムにおける全ての被制御機器の制御に係る制御情報を１台の基本機能モジュール２に持たせても良いし、或いは例えば各部屋毎に配設される被制御機器や機能ユニット単位毎の制御情報を当該部屋に配設される基本機能モジュール２に持たせても良いし、更に個々の被制御機器や機能ユニット毎に対応させた制御情報のみを持つ基本機能モジュール２を夫々の被制御機器や機能ユニット毎に対応して設けても良い。また設定器１００の代わりに制御情報を格納する基本機能モジュール２において、設定機能を持たせても良い。更に配線システムの全てのゲート装置における基本機能モジュール２に制御情報を格納する必要がないため、所定の基本機能モジュール２のみに情報管理部４０１及び記憶部４００を設けても良い。勿論上述の設定機能も同様である。
【００６５】
而して制御情報を所定の基本機能モジュール２に格納することが終了すれば、次にコントロール端末４に格納された制御情報をユーザー若しくは施工業者は転送するための作業を行う。
【００６６】
この作業では、所定の基本機能モジュール２の磁気結合部Ｘと透明部Ｙにコントロール端末４の磁気結合部Ｘと透明部Ｙを接合させると、コントロール端末４が磁気結合部Ｘを通じて電力の供給を受けて動作を開始するとともに、光信号による通信路を両者の送受信部２４、２４間で確立する。そしてコントロール端末４のスイッチ部ＳＷ０が情報取得処理のモード側に設定されているとすると、コントロール端末４は機能部２８のＣＰＵ部２８ａの働きにより、基本機能モジュール２側に制御情報の転送に対応する準備ができたことを通知する。この通知に対応して基本機能モジュール２では情報管理部４０１の働きの下で、記憶部４００に格納している制御情報をコントロール端末４へ送って転送する。コントロール端末４では転送された制御情報を機能部２８の記憶部２８ｂにＣＰＵ部２８ａの制御の下で格納するとともに、今回格納された制御情報により、制御情報が更新されたことを表示部２８ｅに表示させる。この表示により作業者は制御情報がコントロール端末４で取得されたことを確認することができる。そして記憶部２８ｂをフラッシュメモリ等不揮発性メモリにより構成していることで、格納された制御情報はコントロール端末４が基本機能モジュール２から離しても保持されることになる。
【００６７】
次にスイッチ部ＳＷ０を制御処理のモード側に設定した上で、コントロール端末４を当該基本機能モジュール４に連設する形で壁などに固定するか、或いは別の基本機能モジュール４に連設するか、更には基本機能モジュール４に連設されている機能モジュール３に連設することで任意の場所に配設すると、コントロール端末４は基本機能モジュール４側から電力供給を受けながら制御処理動作を開始する。
【００６８】
この制御処理動作は機能部２８の記憶部２８ｂに格納されている制御情報に基づいて対応する被制御機器を接続した機能モジュール３’や被制御機器を備えた機能モジュール３とコントロール端末４との間で情報線Ｌ２及びモジュール４、３内の通信路からなる情報ネットワークを介して通信路を確立し、コントロール端末４と、機能モジュール３’や機能モジュール３との間で情報信号による情報授受を行い、例えば被制御機器の制御する制御コマンドを送信して機能モジュール３’に対応する被制御機器や機能モジュール３に備わった被制御機器を制御する処理と、制御情報で示される被制御機器同士、或いは被制御機器と機能ユニットとの間、又は機能ユニット同士の情報伝達の中継を行う処理を含む。。前者の場合には例えば取得した制御情報として内蔵タイマ（図示せず）により所定の時間帯で照明装置２００を点灯させたり消灯させるスケジュール情報があれば、制御コマンドを生成して照明装置２００に対応する機能モジュール３’へ送信する処理を行う。またドアホン子機５と、機能モジュール３ａ〜３ｃから親機としてユニット化された機能ユニットとの間の連携関係を示す情報が制御情報に含まれる場合には、これらドアホン子機５と親機としての機能ユニット間の情報（撮像信号、音声信号の圧縮データ等）の仲介処理やドアホン子機５からの呼び出し情報の受信があった場合に、これに呼応して親機たる機能ユニット側呼び出し制御の情報を送る処理等がある。
【００６９】
また電気錠２０１が被制御機器の場合には、制御情報において就寝時間帯で自動施錠を行うスケジュール情報が含まれている場合には電気錠２０１に対応する機能モジュール３’へ施錠のコマンド情報を送る処理等がある。
【００７０】
このようにしてコントロール端末４は格納する制御情報によって種々の制御能力を持つことができ、また格納する制御情報を変更するだけで、多種多様な被制御機器の制御に簡単に対応することができため、配線システムが複数箇所（部屋）に分割されている場合や、複数の場所に独立的に設けられた配線システムに対しても１台のコントロール端末４で対応させることも可能となる。つまりコントロール端末４を設置場所に持ち運び、その場所に配設してある基本機能モジュール２から当該場所の被制御機器に対応する制御情報を当該コントロール端末２へ転送させることで、当該コントロール端末２をその場所に設けられた被制御機器の制御を担うコントローラとして使用することができるのである。
【００７１】
尚上述のコントロール端末４と、基本機能モジュール４との側面同士を接合し、内蔵するＥ／Ｏ変換、Ｏ／Ｅ変換の機能を用いた光信号による通信路を確立することでコントロール端末４へ基本機能モジュール４から制御情報を転送するようになっているが、例えば基本機能モジュール２とコントロール端末４とに無線通信機能を持たせ、この無線通信機能を使用して制御情報をコントロール端末４側へ転送（アップロード）するようにしても良い。
【００７２】
ところで、図１中２ａはスピーカＳＰ等の音響装置のための機能部２８を備え、機能モジュールと兼用する基本機能モジュールであり、２ｂは電力線Ｌ１に接続される引掛シーリングローゼット１０２を一体に備えた基本機能モジュールである。また２ｃは電力線Ｌ１に接続される電源コンセント１０３を一体に備えた基本機能モジュールである。２ｄは操作スイッチ部を前面に設け、内部に操作スイッチ部のための機能部２８を備え、機能モジュールを兼用する基本機能モジュールである。
【００７３】
更にまた上述の機能モジュール３及びコントロール端末４は基本機能モジュール２の側部若しくは他の機能モジュール３の側部に連設した状態で壁面等にねじ固定するようになっているが、隣接するモジュール同士を機械的に連結する連結手段を用い、この連結されたモジュール群の荷重をゲート装置を構成する基本機能モジュール２で支える構造としても良い。
【００７４】
また、上述の実施形態では基本機能モジュール４にコントロール端末４へ制御情報を転送する機能を備えているが、コントロール端末４へ制御情報を転送する機能や直流電源部をコネクタ装置１に設けても良い。この場合コネクタ装置１単体でゲート装置を構成し、基本機能モジュール２は情報信号を光信号により連設する機能モジュール３やコントロール端末４と情報線Ｌ１との間で中継するとともに、電力線Ｌ１からの交流電源を低圧交流電源に変換して非接触で機能モジュール３やコントロール端末４へ給電するためのモジュールとなる。
【００７５】
またコントロール端末４は、配線盤８内に設けても良く、この場合基本機能モジュール２との間で上述の情報ネットワークを介して通信路を確立し、基本機能モジュール２から制御情報情報を転送して貰うことになる。
【図面の簡単な説明】
【００７６】
【図１】実施形態１の配線システム全体の概略システム構成図である。
【図２】実施形態１の配線システムに用いる基本機能モジュールを接続装置から外した状態の分解斜視図である。
【図３】実施形態１の配線システムの施工例図である。
【図４】実施形態１の基本機能モジュールと機能モジュールの取付状態を説明する一部省略した背面図である。
【図５】実施形態１の基本機能モジュールとコネクタ装置のブロック図である。
【図６】実施形態１の基本モジュールの背面側からみた斜視図である。
【図７】実施形態１に用いる機能モジュールの一例を示し、（ａ）は正面図、（ｂ）は側面図である。
【図８】実施形態１に用いる機能モジュールの別の例を示し、（ａ）は正面図、（ｂ）は側面図である。
【図９】実施形態１に用いる機能モジュールの他の例を示し、（ａ）は正面図、（ｂ）は側面図である。
【図１０】実施形態１に用いる制御モジュールを示し、（ａ）は正面図、（ｂ）は側面図である。
【図１１】実施形態１に用いる機能モジュール及び制御モジュールの基本的なブロック図である。
【図１２】実施形態１に用いる機能モジュールの一例の機能部のブロック図である。
【図１３】実施形態１に用いる機能モジュールの別の例の機能部のブロック図である。
【図１４】実施形態１に用いる機能モジュールの他の例の機能部のブロック図である。
【図１５】（ａ）は実施形態１に用いる別の機能モジュールのブロック図、（ｂ）は実施形態１に用いるコントロール端末４の要部のブロック図である。
【符号の説明】
【００７７】
１  コネクタ装置
２  基本機能モジュール
３ａ〜３ｂ  機能モジュール
３’機能モジュール
４  コントロール端末
２８ｅ  表示部
５  ドアホン子器
Ｂ  スイッチボックス
１００  設定器
２００  照明装置
２０１  電気錠
ＳＷ０  スイッチ部
Ｌ１  電力線
Ｌ２  情報線
【図１】
0004674542.tif 000002
【図２】
0004674542.tif 000003
【図３】
0004674542.tif 000004
【図４】
0004674542.tif 000005
【図５】
0004674542.tif 000006
【図６】
0004674542.tif 000007
【図７】
0004674542.tif 000008
【図８】
0004674542.tif 000009
【図９】
0004674542.tif 000010
【図１０】
0004674542.tif 000011
【図１１】
0004674542.tif 000012
【図１２】
0004674542.tif 000013
【図１３】
0004674542.tif 000014
【図１４】
0004674542.tif 000015
【図１５】
0004674542.tif 000016